(57)【要約】      （修正有）【課題】自然素材の木製の柄を用いた調理用刷毛であって、毛束の上部に従来のような空隙ができないようにすることで、醤油等の液体が浸入しないようにし、常に衛生的に使用できる調理用木製刷毛の提供。【解決手段】抗菌性の多数本の合成樹脂製毛材３を扁平状に束ねるとともに該毛材の基部を紙筒５により包んで毛束１を形成し、木製の板状柄２の先端面に該紙筒の高さと略同じ深さの挟込溝６を形成することにより該板状柄の先端部に２つの挟着板部７，７を形成し、該挟着板部の外面に複数条の糸巻溝８ａ〜８ｃを形成し、該糸巻溝内に該挟着板部を貫通する透孔９ａ〜９ｃを形成し、前記紙筒に接着剤を塗着して該紙筒を該挟込溝に挿入し毛束の端部を該挟込溝の底に当接させるとともに、前記透孔に挿通した糸１０により該紙筒を縫い付け該糸を前記糸巻溝中に収めて該挟着板部の周囲に巻着してなる。【選択図】図１
0003113862.tif 000002
【実用新案登録請求の範囲】
【請求項１】
抗菌性の多数本の合成樹脂製毛材を扁平状に束ねるとともに該毛材の基部を紙筒により包んで毛束を形成し、木製の板状柄の先端面に該紙筒の高さと略同じ深さの挟込溝を形成することにより該板状柄の先端部に２つの挟着板部を形成し、該挟着板部の外面に複数条の糸巻溝を形成し、該糸巻溝内に該挟着板部を貫通する透孔を形成し、前記紙筒に接着剤を塗着して該紙筒を該挟込溝に挿入し毛束の端部を該挟込溝の底に当接させるとともに、前記透孔に挿通した糸により該紙筒を縫い付け該糸を前記糸巻溝中に収めて該挟着板部の周囲に巻着してなることを特徴とした調理用木製刷毛。
【考案の詳細な説明】
【技術分野】
【０００１】
本考案は、醤油やソース等の液体調味料、その他の液体食材を塗布するときに使用する調理用木製刷毛に関するものである。
【背景技術】
【０００２】
柄の部分が木製である調理用木製刷毛は、図４に示すように、板状柄ａの先端部に切込ｂを入れて２枚の挟着板部ｃを形成するとともに、多数本の毛材を束ねてその基部を扁平状の紙筒ｄにより包んで毛束ｅを形成し、該紙筒ｆを該挟着板部ｃ間に挿入し、該挟着板部の外周に糸ｇを巻着することにより毛束ｅを板状柄ａに固定してなるものであった。
【０００３】
また、下記特許文献１には、樹脂製の連結部材の下側に毛束を挿入し上側に柄を挿入し、接着剤を注入することによりこれらを固定した刷毛が開示されている。また、下記特許文献２にはプラスチック製の柄に毛束をネジによって固定する構造が開示されている。
【特許文献１】特開平０８−２９４４１５号公報
【特許文献２】特開２００３−２２５１２０号公報
【考案の開示】
【考案が解決しようとする課題】
【０００４】
ところで、木製の柄は、自然素材であり廃棄が容易であることから、プラスチック製のものに比べて加工に手間を要するものの地球環境保護の観点から有益であるといえる。しかしながら従来の上記調理用木製刷毛では、醤油等の液体が入った容器に深く漬けてしまうと上記切込ｂによって出来た毛束ｅ上の空隙に液体が流れ込み、流れ込んだ液体はこの空隙中に留まったままで腐食しカビが生え易くなるなど衛生的でないという問題があった。
【課題を解決するための手段】
【０００５】
本考案は上記課題を解決しようとするもので、請求項１に記載した調理用木製刷毛は、ことを特徴とする。
【考案の効果】
【０００６】
木製の柄でありながらも毛束上の空隙が無いので、使用持に醤油等の液体が浸入するおそれがなく、衛生的に使用することができる。
【考案を実施するための最良の形態】
【０００７】
図１は本考案に係る調理用木製刷毛の斜視図、図２はその要部の縦断面図、図３はその毛束１と木製板状柄２の分解斜視図である。毛束１は銀等の抗菌性材料を含有することにより抗菌性，殺菌性を有する多数本の合成樹脂製毛材３を扁平状に束ね該毛材の端部４を熱融着するとともに該毛材の基部を紙筒５により包んでなる。また、木製の板状柄２は、先端面に紙筒５の高さと略同じ深さの挟込溝６を穿設することにより該板状柄の先端部に２つの挟着板部７，７を形成し、該挟着板部の外面に３条の糸巻溝８ａ〜８ｃを形成し、該糸巻溝内に該挟着板部７，７を貫通する透孔９ａ〜９ｃを夫々形成してなる。
【０００８】
板状柄２に毛束１を固定するに際しては、紙筒５に接着剤を塗着して該紙筒を該挟込溝６に挿入する。このとき該毛束１の端部４を該挟込溝６の底に当接させる。そして、三味線用の絹糸である糸（三味糸）１０を透孔９ａ〜９ｃに挿通し紙筒５を縫い付け、該糸１０が糸巻溝８ａ〜８ｃ中に収まるように挟着板部７，７の周囲に巻着し、該挟着板部を締め付けることにより紙筒５を介して毛材３を挟着固定する。
【０００９】
このように構成した調理用木製刷毛では、紙筒５が糸１０によって縫い付けられ、該紙筒５に浸透した接着剤が硬化することにより毛材３をより強固に固着することができ、使用中に毛材３が抜脱するようなおそれはない。また、挟込溝６は紙筒５の高さと略同じ深さに形成され、毛束１の端部を該挟込溝の底に当接させるようにしたので、毛束１の上部に従来のような空隙が生じることなく、醤油等の液体が空隙に付着して非衛生的になるようなおそれがない。
【図面の簡単な説明】
【００１０】
【図１】本考案に係る調理用木製刷毛の斜視図。
【図２】図１の調理用木製刷毛の縦断面図。
【図３】本考案に係る調理用木製刷毛の分解斜視図。
【図４】従来の調理用木製刷毛の斜視図。
【符号の説明】
【００１１】
１            毛束
２            板状柄
３            毛材
５            紙筒
６            挟込溝
７            挟着板部
８ａ〜８ｃ    糸巻溝
９ａ〜９ｃ    透孔
１０          糸
【図１】
0003113862.tif 000003
【図２】
0003113862.tif 000004
【図３】
0003113862.tif 000005
【図４】
0003113862.tif 000006
【手続補正書】
【提出日】平成17年6月30日(2005.6.30)
【手続補正１】
【補正対象書類名】実用新案登録請求の範囲
【補正対象項目名】全文
【補正方法】変更
【補正の内容】
【実用新案登録請求の範囲】
【請求項１】
抗菌性の多数本の合成樹脂製毛材を扁平状に束ねるとともに該毛材の基部を紙筒により包んで毛束を形成し、木製の板状柄の先端面に該紙筒の高さと略同じ深さの挟込溝を形成することにより該板状柄の先端部に２つの挟着板部を形成し、該挟着板部の外面に複数条の糸巻溝を形成し、該糸巻溝内に該挟着板部を貫通する透孔を形成し、前記紙筒に接着剤を塗着して該紙筒を該挟込溝に挿入し毛束の端部を該挟込溝の底に当接させるとともに、前記透孔に挿通した糸により該紙筒を縫い付け該糸を前記糸巻溝中に収めて該挟着板部の周囲に巻着してなることを特徴とした木製刷毛。
【手続補正２】
【補正対象書類名】明細書
【補正対象項目名】全文
【補正方法】変更
【補正の内容】
【考案の詳細な説明】
【技術分野】
【０００１】
本考案は、醤油やソース等の液体調味料、その他の液体を塗布するときに使用する木製刷毛に関するものである。
【背景技術】
【０００２】
柄の部分が木製である木製刷毛は、図４に示すように、板状柄ａの先端部に切込ｂを入れて２枚の挟着板部ｃを形成するとともに、多数本の毛材を束ねてその基部を扁平状の紙筒ｄにより包んで毛束ｅを形成し、該紙筒ｆを該挟着板部ｃ間に挿入し、該挟着板部の外周に糸ｇを巻着することにより毛束ｅを板状柄ａに固定してなるものであった。
【０００３】
また、下記特許文献１には、樹脂製の連結部材の下側に毛束を挿入し上側に柄を挿入し、接着剤を注入することによりこれらを固定した刷毛が開示されている。また、下記特許文献２にはプラスチック製の柄に毛束をネジによって固定する構造が開示されている。
【特許文献１】特開平０８−２９４４１５号公報
【特許文献２】特開２００３−２２５１２０号公報
【考案の開示】
【考案が解決しようとする課題】
【０００４】
ところで、木製の柄は、自然素材であり廃棄が容易であることから、プラスチック製のものに比べて加工に手間を要するものの地球環境保護の観点から有益であるといえる。しかしながら従来の上記調理用木製刷毛では、醤油等の液体が入った容器に深く漬けてしまうと上記切込ｂによって出来た毛束ｅ上の空隙に液体が流れ込み、流れ込んだ液体はこの空隙中に留まったままで腐食しカビが生え易くなるなど衛生的でないという問題があった。
【課題を解決するための手段】
【０００５】
本考案は上記課題を解決しようとするもので、請求項１に記載した木製刷毛は、抗菌性の多数本の合成樹脂製毛材を扁平状に束ねるとともに該毛材の基部を紙筒により包んで毛束を形成し、木製の板状柄の先端面に該紙筒の高さと略同じ深さの挟込溝を形成することにより該板状柄の先端部に２つの挟着板部を形成し、該挟着板部の外面に複数条の糸巻溝を形成し、該糸巻溝内に該挟着板部を貫通する透孔を形成し、前記紙筒に接着剤を塗着して該紙筒を該挟込溝に挿入し毛束の端部を該挟込溝の底に当接させるとともに、前記透孔に挿通した糸により該紙筒を縫い付け該糸を前記糸巻溝中に収めて該挟着板部の周囲に巻着してなることを特徴とする。
【考案の効果】
【０００６】
木製の柄でありながらも毛束上の空隙が無いので、使用持に醤油等の液体が浸入するおそれがなく、衛生的に使用することができる。
【考案を実施するための最良の形態】
【０００７】
図１は本考案に係る木製刷毛の斜視図、図２はその要部の縦断面図、図３はその毛束１と木製板状柄２の分解斜視図である。毛束１は銀等の抗菌性材料を含有することにより抗菌性，殺菌性を有する多数本の合成樹脂製毛材３を扁平状に束ね該毛材の端部４を熱融着するとともに該毛材の基部を紙筒５により包んでなる。また、木製の板状柄２は、先端面に紙筒５の高さと略同じ深さの挟込溝６を穿設することにより該板状柄の先端部に２つの挟着板部７，７を形成し、該挟着板部の外面に３条の糸巻溝８ａ〜８ｃを形成し、該糸巻溝内に該挟着板部７，７を貫通する透孔９ａ〜９ｃを夫々形成してなる。
【０００８】
板状柄２に毛束１を固定するに際しては、紙筒５に接着剤を塗着して該紙筒を該挟込溝６に挿入する。このとき該毛束１の端部４を該挟込溝６の底に当接させる。そして、三味線用の絹糸である糸（三味糸）１０を透孔９ａ〜９ｃに挿通し紙筒５を縫い付け、該糸１０が糸巻溝８ａ〜８ｃ中に収まるように挟着板部７，７の周囲に巻着し、該挟着板部を締め付けることにより紙筒５を介して毛材３を挟着固定する。
【０００９】
このように構成した木製刷毛では、紙筒５が糸１０によって縫い付けられ、該紙筒５に浸透した接着剤が硬化することにより毛材３をより強固に固着することができ、使用中に毛材３が抜脱するようなおそれはない。また、挟込溝６は紙筒５の高さと略同じ深さに形成され、毛束１の端部を該挟込溝の底に当接させるようにしたので、毛束１の上部に従来のような空隙が生じることなく、醤油等の液体が空隙に付着して非衛生的になるようなおそれがない。
【図面の簡単な説明】
【００１０】
【図１】本考案に係る木製刷毛の斜視図。
【図２】図１の木製刷毛の縦断面図。
【図３】本考案に係る木製刷毛の分解斜視図。
【図４】従来の木製刷毛の斜視図。
【符号の説明】
【００１１】
１            毛束
２            板状柄
３            毛材
５            紙筒
６            挟込溝
７            挟着板部
８ａ〜８ｃ    糸巻溝
９ａ〜９ｃ    透孔
１０          糸